(57)【要約】【課題】  ＰＤや伝送線路に不具合が発生すると、修復するまで加入者がサービスを受けることができなくなる。【解決手段】  本願のＯＮＵは、ＦＴＴＨシステムの光信号をＲＦ信号に変換して加入者に送る光／電気変換部１と、変換されたＲＦ信号を伝送するＦＴＴＨ信号伝送系路２と、前記光信号を監視して異常検出時に切替信号を出力する光監視回路３と、ＦＴＴＨシステム以外のシステムから得られる予備のＲＦ信号を伝送可能な予備信号伝送系路４と、予備信号伝送系路４と前記ＦＴＴＨ信号伝送系路２とを切替可能な切替器５とを備え、入力信号に異常が発生すると、切替器５が光監視回路３から送られる切替信号に基づいてＦＴＴＨ信号伝送系路２から予備信号伝送系路４に切替えられて、予備信号伝送系路４からの予備ＲＦ信号が加入者に伝送されるようにした。【選択図】  図１
2005176193.tif 000002
【特許請求の範囲】
【請求項１】
ＦＴＴＨシステムの光信号を電気信号（ＲＦ信号）に変換して加入者に送る光／電気変換部（１）と、変換されたＲＦ信号を伝送するＦＴＴＨ信号伝送系路（２）と、前記光信号を監視して異常検出時に切替信号を出力する光監視回路（３）と、ＦＴＴＨシステム以外のシステムから得られる予備のＲＦ信号を伝送可能な予備信号伝送系路（４）と、予備信号伝送系路（４）と前記ＦＴＴＨ信号伝送系路（２）とを切替え可能な切替器（５）とを備え、切替器（５）は前記光監視回路（３）から送られる切替信号に基づいてＦＴＴＨ信号伝送系路（２）から予備信号伝送系路（４）に切替えられて、予備信号伝送系路（４）からの予備ＲＦ信号が加入者に伝送されることを特徴とするＦＴＴＨシステムの入力切替え機能付き加入者用光受信端末器。
【請求項２】
請求項１記載のＦＴＴＨシステムの入力切替え機能付き加入者用光受信端末器において、ＦＴＴＨシステムの光信号を変換したＲＦ信号を検波する検波回路（６）をも設け、ＲＦ信号の異常時に検波回路（６）からの出力に基づいて光監視回路（３）から切替信号が出力されることを特徴とするＦＴＴＨシステムの入力切替え機能付き加入者用光受信端末器。
【請求項３】
請求項１記載のＦＴＴＨシステムの入力切替え機能付き加入者用光受信端末器において、光／電気変換部（１）とＦＴＴＨ信号伝送系路（２）と光監視回路（３）とを一つの筺体にまとめて送信側機器（７）とし、切替器（５）と予備信号伝送系路（４）とを前記筺体と別の筺体にまとめて切替側機器（８）とし、切替側機器（８）にＦＴＴＨのＲＦ信号を入力可能な入力端子（９）と予備信号入力端子（１０）と切替信号入力端子（１１）が設けられ、前記送信側機器（７）のＲＦ出力端（１２）を切替側機器（８）のＲＦ信号入力端子（９）に、前記送信側機器（７）の切替信号出力端（１３）を切替側機器（８）の切替信号入力端子（１１）に接続・離脱可能であることを特徴とするＦＴＴＨシステムの入力切替え機能付き加入者用光受信端末器。
【請求項４】
請求項３記載のＦＴＴＨシステムの入力切替え機能付き加入者用光受信端末器において、送信側機器（７）にＦＴＴＨシステムの光信号を変換したＲＦ信号を検波する検波回路（６）をも設け、ＲＦ信号の異常時に検波回路（６）からの出力に基づいて光監視回路（３）から切替信号が出力されることを特徴とするＦＴＴＨシステムの入力切替え機能付き加入者用光受信端末器。
【請求項５】
ＦＴＴＨシステムの光信号を電気信号（ＲＦ信号）に変換して加入者に送る光／電気変換部（１）と、変換されたＲＦ信号を伝送するＦＴＴＨ信号伝送系路（２）と、前記光信号を監視して光信号の異常時に警報信号を出力する光監視回路（３）と、前記ＲＦ信号を検波回路（６）と、検波回路（６）でＲＦ信号の異常が検出されると切替え信号を出力するＲＦ監視回路（１４）と、ＦＴＴＨシステム以外のシステムから得られる予備のＲＦ信号を伝送可能な予備信号伝送系路（４）と、予備信号伝送系路（４）と前記ＦＴＴＨ信号伝送系路（２）を切替え可能な切替器（５）とを備え、光／電気変換部（１）とＦＴＴＨ信号伝送系路（２）と光監視回路（３）を一つの筺体にまとめて送信側機器（７）とし、検波回路（６）とＲＦ監視回路（１４）と切替器（５）と予備信号伝送系路（４）とを前記筺体と別の筺体にまとめて切替側機器（８）とし、切替側機器（８）にＦＴＴＨのＲＦ信号を入力可能な入力端子（９）と予備信号入力端子（１０）が設けられ、前記送信側機器（７）のＲＦ出力端（１２）を切替側機器（８）のＲＦ信号入力端子（９）に接続・離脱可能であることを特徴とするＦＴＴＨシステムの入力切替え機能付き加入者用光受信端末器。
【請求項６】
請求項１乃至請求項５のいずれかに記載のＦＴＴＨシステムの入力切替え機能付き加入者用光受信端末器において、切替器（５）は光信号またはそれを変換したＲＦ信号が回復すると、予備信号伝送系路（４）からＦＴＴＨ信号伝送系路（２）に切替えられて、ＦＴＴＨシステムのＲＦ信号が加入者に伝送されることを特徴とするＦＴＴＨシステムの入力切替え機能付き加入者用光受信端末器。
【発明の詳細な説明】
【技術分野】
【０００１】
本発明のＦＴＴＨシステムの入力切替え機能付き加入者用光受信端末器は、ＣＡＴＶのＦＴＴＨシステムに使用されるものである。
【背景技術】
【０００２】
現在のＣＡＴＶの光通信システムにはＨＦＣシステムがある。これは図４のように、ＣＡＴＶ局５０がＢＳアンテナ５１で受信したＢＳ放送波、ＣＳアンテナ５２で受信したＣＳ放送波を６４ＱＡＭヘッドエンド（６４QAM HE）からＣＡＴＶヘッドエンドを介して光送信機に送り、地上波アンテナ５３で受信したアナログ放送波をＣＡＴＶヘッドエンドから光送信機５４に送り、光送信機５４から送り出された光信号を光受信機５５で受け、それから幹線に送り出し、カスケード接続された分岐増幅器５６で分岐すると共に増幅して伝送し、分岐器５７で分岐して各加入者に供給されるようにしてある。加入者によっては、地上波アンテナ５８を備えていたり、難視聴対策施設５９から信号を受けたりして受信している。この図では加入者宅が戸建住宅としてあるが、加入者宅はマンションやアパートなどの集合住宅の場合もある。
【０００３】
近年、ＣＡＴＶの光通信システムとしてＦＴＴＨ（Fiber To The Home）システムが検討されている。これは図５のように、ＣＡＴＶ局又はＦＴＴＨ事業者は、衛星放送受信用アンテナ５１、５２で受信したＢＳ放送波、ＣＳ放送波を６４ＱＡＭヘッドエンド（６４QAM HE）からＣＡＴＶヘッドエンドを介して光送信機５４に送り、地上波アンテナ５３で受信したアナログ放送波をＣＡＴＶヘッドエンドから光送信機５４に送り、光送信機５４から送り出される光信号を光ファイバ増幅器６０で増幅して光伝送路へ送信し、光分岐器６１で分岐して加入者用光受信端末器（ＯＮＵ）に送り、ＯＮＵで光信号をＲＦ信号に変換して加入者Ａのセットトップボックス（ＳＴＢ）を介してテレビ（ＴＶ）で視聴したり、直接ＴＶで視聴したりしている。この場合、地上波アンテナ５８を設置して受信したり、難視聴対策施設５９から受信したりしている加入者もある。
【０００４】
前記ＯＮＵは通常は図６のような構成になっており、光伝送路から受けた光信号をフォトダイオード（ＰＤ）にて電気信号（ＲＦ信号）へ変換し、このＲＦ信号をインピーダンス変換回路６２や増幅器６３を経てＳＴＢやＴＶへと送出している。また、変換直後のＲＦ信号の異常（即ち、光信号の異常）を光監視回路６４で検知して、光信号の停波や光入力レベルの低下等の異常が検知されると異常検知信号（アラーム信号：ＡＬＭ信号）を出力して、ＬＥＤやブザー等の警報器を作動させて異常が報知されるようにしてある。
【発明の開示】
【発明が解決しようとする課題】
【０００５】
図５のＦＴＴＨシステムでは、ＦＴＴＨサービスの運用中に光伝送路に不具合（断線等）が発生すると光信号が停波してしまいサービスが停止する。また、ＯＮＵ内のＰＤに不具合が発生すると、光信号がＦＴＴＨサービス事業者から送られてきても、光信号が電気信号に変換されずにサービスが停止してしまう。サービスが停止した場合は加入者が事業者へ異常を連絡し、連絡を受けた事業者が異常個所や原因を探査して修復作業をしているが、伝送線路に不具合が発生した場合はその修復作業が終わるまで加入者がサービスを受けることができず、ＰＤに不具合が発生した場合はＯＮＵを交換するまでサービスを受けることができない。
【０００６】
本発明はＦＴＴＨシステムにおいて、光信号の停波やＰＤの故障等によって光信号、ＲＦ信号の送信が停止すると、直ちに、自動的に、ＦＴＴＨサービス以外の信号源から得られる予備のＲＦ信号が加入者に送信されて、ＦＴＴＨサービス停止の影響を防止できるようにしたものである。
【課題を解決するための手段】
【０００７】
本願の第１のＦＴＴＨシステムの入力切替え機能付き加入者用光受信端末器は、図１のように、ＦＴＴＨシステムの光信号を電気信号（ＲＦ信号）に変換して加入者に送る光／電気変換部１と、変換されたＲＦ信号を伝送するＦＴＴＨ信号伝送系路２と、前記光信号を監視して異常検出時に切替信号を出力する光監視回路３と、ＦＴＴＨシステム以外のシステムから得られる予備のＲＦ信号を伝送可能な予備信号伝送系路４と、予備信号伝送系路４と前記ＦＴＴＨ信号伝送系路２とを切替え可能な切替器５とを備え、切替器５は前記光監視回路３から送られる切替信号に基づいてＦＴＴＨ信号伝送系路２から予備信号伝送系路４に切替えられて、予備信号伝送系路４からの予備ＲＦ信号が加入者に伝送されるものである。
【０００８】
本願の第２のＦＴＴＨシステムの入力切替え機能付き加入者用光受信端末器は、前記第１の加入者用光受信端末器において、図１のように、ＦＴＴＨシステムの光信号を変換したＲＦ信号を検波する検波回路６をも設け、ＲＦ信号の異常時に検波回路６からの出力に基づいて光監視回路３から切替信号が出力されるようにすることもできる。
【０００９】
本願の第３のＦＴＴＨシステムの入力切替え機能付き加入者用光受信端末器は、前記第１の加入者用光受信端末器において、図２のように、光／電気変換部１とＦＴＴＨ信号伝送系路２と光監視回路３とを一つの筺体にまとめて送信側機器７とし、切替器５と予備信号伝送系路４とを前記筺体と別の筺体にまとめて切替側機器８とし、切替側機器８にＦＴＴＨのＲＦ信号を入力可能な入力端子９と予備信号入力端子１０と切替信号入力端子１１が設けられ、前記送信側機器７のＲＦ出力端１２を切替側機器８のＲＦ信号入力端子９に、前記送信側機器７の切替信号出力端１３を切替側機器８の切替信号入力端子１１に接続・離脱可能とすることもできる。
【００１０】
本願の第４のＦＴＴＨシステムの入力切替え機能付き加入者用光受信端末器は、前記第３の加入者用光受信端末器において、図２のように、送信側機器７にＦＴＴＨシステムの光信号を変換したＲＦ信号を検波する検波回路６をも設け、ＲＦ信号の異常時に検波回路６からの出力に基づいて光監視回路３から切替信号が出力されるようにしたものである。
【００１１】
本願の第５のＦＴＴＨシステムの入力切替え機能付き加入者用光受信端末器は、図３のように、ＦＴＴＨシステムの光信号を電気信号（ＲＦ信号）に変換して加入者に送る光／電気変換部１と、変換されたＲＦ信号を伝送するＦＴＴＨ信号伝送系路２と、前記光信号を監視して光信号の異常時に警報信号を出力する光監視回路３と、前記ＲＦ信号を検波回路６と、検波回路６でＲＦ信号の異常が検出されると切替信号を出力するＲＦ監視回路１４と、ＦＴＴＨシステム以外のシステムから得られる予備のＲＦ信号を伝送可能な予備信号伝送系路４と、予備信号伝送系路４と前記ＦＴＴＨ信号伝送系路２を切替え可能な切替器５とを備え、光／電気変換部１とＦＴＴＨ信号伝送系路２と光監視回路３を一つの筺体にまとめて送信側機器７とし、検波回路６とＲＦ監視回路１４と切替器５と予備信号伝送系路４とを前記筺体と別の筺体にまとめて切替側機器８とし、切替側機器８にＦＴＴＨのＲＦ信号を入力可能な入力端子９と予備信号入力端子１０が設けられ、前記送信側機器７のＲＦ出力端１２を切替側機器８のＲＦ信号入力端子９に接続・離脱可能としたものである。
【００１２】
本願の第６のＦＴＴＨシステムの入力切替え機能付き加入者用光受信端末器は、前記いずれかに記載のＦＴＴＨシステムの入力切替え機能付き加入者用光受信端末器において、切替器５は光信号またはそれを変換したＲＦ信号が回復すると、予備信号伝送系路４からＦＴＴＨ信号伝送系路２に切替えられて、ＦＴＴＨシステムのＲＦ信号が加入者に伝送されることを特徴とするものである。
【発明の効果】
【００１３】
本発明のＦＴＴＨシステムの入力切替え機能付き加入者用光受信端末器（ＯＮＵ）は次のような効果がある。
【００１４】
第１〜第６の発明では、ＦＴＴＨサービスの光信号の異常発生時に、加入者宅に設置されたＯＮＵの切替回路が自動的に予備信号伝送系路に切替えられて、個々の家庭に通常設置されているアンテナや、電波障害用のＣＡＴＶの既設共聴などから得られる信号を予備のＲＦ信号とするので、ＦＴＴＨサービス本来の信号と同じ信号を加入者に送ることもできる。また、加入者の停波は切替時のみとなり、完全停波を防止可能となる。監視回路から警報信号を出力させてＬＥＤとかブザーなどを作動させれば、ＦＴＴＨサービスの異常を異常発生時に自動的に確認することができ、その後の修復作業に役立つ。監視回路からの切替信号を警報信号としても利用できるため、ＯＮＵの構成が簡潔になり、ＯＮＵの小型化、コストダウンが可能となる。
【００１５】
第２の発明では、ＲＦ信号を監視して切替信号を出力するので、ＲＦ信号の異常常時も切替回路が自動的に予備信号伝送系路に切替えられて、個々の家庭に通常設置されているアンテナや、電波障害用のＣＡＴＶの既設共聴などから得られる予備のＲＦ信号を使用して、ＦＴＴＨサービス本来の信号と同じ信号を加入者に送ることもできる。また、ＯＮＵ内のＲＦ回路の異常を検知することもできる。
【００１６】
第３、第４の発明では、送信側機器と切替側機器とを別体にし、送信側機器のＲＦ出力端を切替側機器のＲＦ入力端子に、前記送信側機器の切替信号出力端を切替側機器の切替信号入力端子に接続・離脱可能としたので、加入者に既存の加入者用光受信端末器（ＯＮＵ）が設置されている場合は、切替側機器を付加するだけで入力切替え機能付き加入者用光受信端末器とすることができるため、既存のＯＮＵを有効利用でき、既存のＯＮＵが無駄にならない。監視回路からの切替信号を警報信号としても利用できるため、ＯＮＵの構成が簡潔になり、ＯＮＵの小型化、コストダウンが可能となる。
【００１７】
第５の発明では、送信側機器と切替側機器とを別体にし、送信側機器のＲＦ出力端を切替側機器のＲＦ入力端子に接続・離脱可能としたので、送信側機器を備えている加入者は切替側機器を付加すればよく、無駄が無い。また、切替え側機器にＲＦ監視回路を設けて、ＲＦ信号の異常時に切替信号が発生するようにしたので、送信側機器に光監視回路がなくても、光信号及びＲＦ回路の異常を検知して切替器を切替えて、ＦＴＴＨサービス本来の信号と同じ信号を加入者に送ることができる。
【００１８】
第６の発明では、ＦＴＴＨサービスの光信号又はそれを変換したＲＦ信号の異常が回復すれば、加入者宅に設置されたＯＮＵの切替回路が自動的にＦＴＴＨ信号伝送系路に復帰して、ＦＴＴＨサービス本来の信号が加入者に送られる。
【発明を実施するための最良の形態】
【００１９】
（実施形態１）
本発明のＦＴＴＨシステムの入力切替え機能付き加入者用光受信端末器（ＯＮＵ）の第１の実施形態を図１に基づいて説明する。図１は図５に示すＦＴＴＨシステムのＯＮＵに代えて使用されるものであり、図６に示す既存のＯＮＵに、予備のＲＦ信号を伝送可能な予備信号伝送系路４と、その入力側に入力端子１０を、出力側に切替器（ＲＦスイッチ）５を付加してある。予備信号伝送系路４はＦＴＴＨシステム以外のシステムから得られる予備のＲＦ信号、例えば、図５に示す個々の加入者のアンテナ５８や、難視聴対策施設５９等から得られる予備のＲＦ信号を伝送するためのものである。
【００２０】
図１のＯＮＵは、ＦＴＴＨシステム（各サービス事業者）から送出された光信号を電気信号（ＲＦ信号）に変換する光／電気変換器（フォトダイオード）ＰＤと、ＣＡＴＶシステムのインピーダンス（通常75Ω）と、それよりも高いＰＤのインピーダンス（数ＫΩ）とを整合するためのインピーダンス変換回路６２と、ＰＤで変換されたＲＦ信号を増幅する増幅器６３とを備え、これらがＦＴＴＨ信号伝送系路２を構成している。また、ＰＤより得られる変換直後のＲＦ信号をモニタ電圧（電流）として取り出して、変換直後のＲＦ信号、即ち、光信号の有無やレベル等の異常を検知する光監視回路３を設けてある。光監視回路３には比較器が使用され、モニタ用に取り出した変換直後のＲＦ信号を予め設定されている基準値と比較して、異常発生時に、異常検知時に警報信号兼用の切替信号を出力して切替器５へ送るようになっている。光監視回路３には図示されていない警報機器、例えば、ＬＥＤとかブザー等が接続されており、それらが警報信号により作動して異常を報知するようにしてある。また、図1では、増幅器６３の出力側に検波回路６を接続し、増幅器６３から出力されるＲＦ信号を検波回路６で検波し、その異常検知時にも光監視回路３から警報信号兼用の切替信号が出力されるようにしてある。図１〜図３のＥは光監視回路３を駆動するための電源である。
【００２１】
図１のＦＴＴＨシステムの入力切替え機能付き加入者用光受信端末器では、光監視回路３から切替信号が出力されて切替器５に送られると、切替器５がそれまでのＦＴＴＨ信号伝送系路２への接続から予備信号伝送系路４への接続に切替えられて、予備信号伝送系路４に送られるＲＦ信号が切替器５から出力されて加入者に送られるようにしてある。
【００２２】
（実施形態２）
本発明の第２の実施形態を図２に基づいて説明する。これは加入者用光受信端末器（ＯＮＵ）を二つの機器に分けたものであり、光／電気変換部１と、ＦＴＴＨ信号伝送系路２と、検波回路６と、光監視回路３とを一つの筺体にまとめて一つの送信側機器７とし、切替器５と予備信号伝送系路４とを送信側機器７と別体の筺体にまとめて切替側機器８としてある。切替側機器８にはＦＴＴＨ信号伝送系路２の出力端（ＲＦ出力端）１２を接続するためのＲＦ信号入力端子９と、予備のＲＦ信号を入力するための予備信号入力端子１０と、光監視回路３から出力される切替信号を入力するための入力端子１１とを設けて、ＲＦ信号入力端子９にＦＴＴＨ信号伝送系路の出力端１２を、予備信号入力端子１０に予備のアンテナ、既設共聴施設等のＲＦ信号源を接続することにより、両機器７、８を接続することができるようにしてある。
【００２３】
図２のＯＮＵでも、光監視回路３から出力される信号を切替信号と警報信号の兼用にして、光監視回路３から出力される信号が切替器５へ送られると、切替器５がそれまでのＦＴＴＨ信号伝送系路２への接続から、予備信号伝送系路４への接続に切替えられて、予備信号伝送系路４に送られる予備のＲＦ信号が切替器５から加入者に伝送されるようにしてある。また、検波回路６により検波されたＲＦ信号異常がある場合、光監視回路３から切替信号及び警報信号が出力されて、切替器５が切替えられ、警報機が作動するようにしてある。
【００２４】
（実施形態３）
本発明のＯＮＵの第３の実施形態を図３に基づいて説明する。これもＯＮＵを二つに分けたものであり、光／電気変換部１と、ＦＴＴＨ信号伝送系路２と、光監視回路３とを一つの筺体にまとめて送信側機器とし、切替器５と、予備信号伝送系路４と、検波回路６と、ＲＦ監視回路１４とを送信側機器７と別体の筺体にまとめて切替側機器８としてある。切替側機器８にはＦＴＴＨのＲＦ信号を入力するためのＲＦ信号入力端子９と、予備のＲＦ信号を入力するための予備信号入力端子１０を備えている。ＲＦ信号入力端子９にはＦＴＴＨ信号伝送系路の出力端１２を、予備信号入力端子１０には予備のＲＦ信号源を接続することにより、両機器７、８を接続することができるようにしてある。検波回路６とＲＦ監視回路１４を切替側機器８に設けることで、図２の切替信号入力端子１１に相当するものを無くすることができる。
【００２５】
図３のＯＮＵでは、ＲＦ監視回路１４を光監視回路３と別に設け、ＲＦ監視回路１４から出力される切替信号が切替器５に送られると、切替器５がそれまでのＦＴＴＨ信号伝送系路２への接続から、予備信号伝送系路４への接続に切替えられて、予備信号伝送系路４を送られるＲＦ信号が切替器５から出力されて、予備のＲＦ信号が加入者に伝送されるようにしてある。
【００２６】
図１〜図３のいずれのＯＮＵの場合も、ＦＴＴＨシステムの異常が回復して光信号又はＲＦ信号が正常になった後は、光監視回路３或いはＲＦ監視回路１４からの切替信号の出力が停止して、切替器５が自動的にＦＴＴＨ信号伝送系路２に復帰し、ＦＴＴＨのＲＦ信号が加入者に送信されるようにしてある。異常回復後の切替器５の切替えは手動で行なうこともできる。
【００２７】
切替器５にはＲＦ信号入力端子９を設けてあるので、その入力端子１０に接続されるアンテナ（BS・CS・VHF・UHF）に給電できるように切替側機器８に電源重畳機能を持たす必要がある。既設共聴施設などの同軸ケーブルにより信号が引き込まれていて給電の必要がない場合は、給電を切れるようにON／OFFスイッチを設けておくのが望ましい。
【図面の簡単な説明】
【００２８】
【図１】本発明のＯＮＵの第１の例を示す説明図。
【図２】本発明のＯＮＵの第２の例を示す説明図。
【図３】本発明のＯＮＵの第３の一例を示す説明図。
【図４】現在検討されているＦＴＴＨシステムの一例を示す説明図。
【図５】現在のＨＦＣシステム及び難視聴対策施設の一例を示す説明図。
【図６】従来のＯＮＵの説明図。
【符号の説明】
【００２９】
１  光／電気変換部
２  ＦＴＴＨ信号伝送系路
３  光監視回路
４  予備信号伝送系路
５  切替器
６  検波回路
７  送信側機器
８  切替側機器
９  ＲＦ信号入力端子
１０  予備信号入力端子
１１  切替信号入力端子
１２  ＲＦ出力端
１３  切替信号出力端
１４  ＲＦ監視回路
【図１】
2005176193.tif 000003
【図２】
2005176193.tif 000004
【図３】
2005176193.tif 000005
【図４】
2005176193.tif 000006
【図５】
2005176193.tif 000007
【図６】
2005176193.tif 000008